(57)【特許請求の範囲】
【請求項１】
建物ユニットと、この建物ユニットに隣接して配置された他の建物ユニットに設けられる階段ユニットにおいて、
前記建物ユニットに取り付けられた２段目以上の複数の段板を有する上部階段ユニットと、
前記他の建物ユニットに取り付けられるとともに前記上部階段ユニットに隣接し、かつ前記上部階段ユニットの２段目の段板の斜め下に配置される１段目の段板を有する下部階段ユニットと、に分離され、
前記下部階段ユニットは、蹴込み板と３つの板材が四角形に枠組みされた部材と、この部材の上に取り付けられた前記１段目の段板と、を有し、
前記１段目の段板は平面視において矩形であり、この１段目の段板における短辺の長さは、前記上部階段ユニットの２段目の段板の幅と同じ長さであり、この１段目の段板における長辺の長さは、前記２段目の段板の幅方向の長さよりも長く設定されていることを特徴とする階段ユニット。
【請求項２】
請求項１に記載の階段ユニットにおいて、
前記１段目の段板は、前記建物ユニットと前記他の建物ユニットに跨っていることを特徴とする階段ユニット。
【請求項３】
請求項１または２に記載の階段ユニットを、前記建物ユニットと前記他の建物ユニットに設ける階段ユニットの施工方法であって、
前記建物ユニットと前記他の建物ユニットとを隣接して配置した後、前記他の建物ユニットに前記下部階段ユニットを前記上部階段ユニットの２段目の段板の斜め下に、下階から上階への１段目の上り口の方向を任意の方向に設定して配置する、
ことを特徴とする階段ユニットの施工方法。
【発明の詳細な説明】
【技術分野】
【０００１】
本発明は、階段ユニットおよび階段ユニットの施工方法に関する。
【背景技術】
【０００２】
従来、下階の床から上階までの階段ユニットが、工場で、製造され、この階段ユニットが建物ユニットに取り付けられていた。予め工場で、建物ユニットに階段ユニットを艤装することにより、コストを低減することができた（特許文献１）。
【先行技術文献】
【特許文献】
【０００３】
【特許文献１】特開平８−９３１６３号公報
【発明の概要】
【発明が解決しようとする課題】
【０００４】
しかし、従来の階段ユニットでは下階から上階への階段の上り口の方向が所定の方向に決まってしまうという問題があった。また、階段ユニット単体を輸送する際に、１段目の段板を大きくするほど、トラックで輸送する際に大きな積載スペースを確保する必要があり、輸送効率が低下するという問題があった。
【０００５】
本発明は、下階から上階への階段の上り口の方向を任意の方向に設定可能であり、かつ、輸送効率または艤装効率を向上する階段ユニットおよび階段ユニットの施工方法を提供することを目的とする。
【課題を解決するための手段】
【０００６】
上記課題を解決するために、請求項１に記載の発明は、例えば、図１に示すように、建物ユニット１０と、この建物ユニット１０に隣接して配置された他の建物ユニット２０に設けられる階段ユニット１において、
前記建物ユニット１０に取り付けられた２段目以上の複数の段板３ａ〜３ｋを有する上部階段ユニット１Ａと、
前記他の建物ユニット２０に取り付けられるとともに前記上部階段ユニット１Ａに隣接し、かつ前記上部階段ユニット１Ａの２段目の段板３ａの斜め下に配置される１段目の段板２を有する下部階段ユニット１Ｂと、
に分離され、
前記下部階段ユニット１Ｂは、蹴込み板２ａと３つの板材２ｂが四角形に枠組みされた部材と、この部材の上に取り付けられた前記１段目の段板２と、を有し、
前記１段目の段板２は平面視において矩形であり、この１段目の段板２における短辺の長さは、前記上部階段ユニット１Ａの２段目の段板３ａの幅と同じ長さであり、この１段目の段板２における長辺の長さは、前記２段目の段板３ａの幅方向の長さよりも長く設定されていることを特徴とする。
【０００７】
請求項１に記載の発明によれば、前記１段目の段板２は平面視において四角形であり、この１段目の段板２の各辺の幅は、前記上部階段ユニット１Ａの２段目の段板３ａの幅と同じ幅、または、それ以上の幅であるので、下階から上階への階段の上り口７の方向を任意の方向に設定することが可能になり、前記上部階段ユニット１Ａと１段目の段板２とに分離されているので、１段目の段板２をトラックの荷台の空いたスペースに積載することが可能となり、輸送効率を向上することができる。
また、前記建物ユニット１０に前記上部階段ユニット１Ａが取り付けられているので、前記上部階段ユニット１Ａを建物ユニット１０に取り付けている状態で搬送することが可能になる。
また、前記建物ユニット１０に隣接する他の建物ユニット２０に、前記１段目の段板２が前記上部階段ユニット１Ａの２段目の段板３ａの斜め下に配置されるように設けられているので、隣接する２つの建物ユニット１０，２０に対して階段ユニット１を設置することができる。
【００１２】
請求項２に記載の発明は、例えば、図５に示すように、
請求項１に記載の階段ユニット１０において、
前記１段目の段板２は、前記建物ユニット１０と前記他の建物ユニット２０に跨っていることを特徴とする。
【００１４】
請求項３に記載の発明は、例えば、図３〜図５，図７に示すように、
請求項１または２に記載の階段ユニットを、前記建物ユニットと前記他の建物ユニットに設ける階段ユニットの施工方法であって、
前記建物ユニット１０と前記他の建物ユニット２０とを隣接して配置した後、前記他の建物ユニット２０に前記下部階段ユニット１Ｂを前記上部階段ユニット１Ａの２段目の段板３ａの斜め下に、下階から上階への１段目の上り口７の方向を任意の方向に設定して配置する、
ことを特徴とする。
【００１５】
請求項３に記載の発明によれば、建物ユニット１０と他の建物ユニット２０とを隣接して配置した後、前記他の建物ユニット２０に前記１段目の段板２を配置するので、現場において、２つの建物ユニット１０，２０を隣接して配置し、この隣接する２つの建物ユニット１０，２０に対して階段ユニット１を設置することができる。
【発明の効果】
【００１６】
本発明によれば、下階から上階への階段の上り口の方向を任意の方向に設定可能であり、かつ、輸送効率または艤装効率を向上することができる。
【図面の簡単な説明】
【００１７】
【図１】本発明に係る階段ユニットの一例を示す図であり、上部階段ユニットと下部階段ユニットとを切り離している例を示す斜視図である。
【図２】同、上部階段ユニットと下部階段ユニットと接合している階段ユニットの例を示す斜視図である。
【図３】同、（ａ）は図２に示す階段ユニットの平面図を示し、（ｂ）及び（ｃ）は下部階段ユニットの配置を変えて上り口７の方向を変更した例を示す平面図である。
【図４】同、（ａ）は下部階段ユニットの分解斜視図を示し、（ｂ）は下部階段ユニットの斜視図を示し、（ｃ）は下部階段ユニットの平面図を示す図である。
【図５】本発明に係る建物ユニットの一例を示す図であり、階段ユニットを建物ユニットに配置した例を示す図である。
【図６】階段ユニットを建物ユニットに配置した例を示す図である。
【図７】本発明に係る階段ユニットの変形例を示す図である。
【発明を実施するための形態】
【００１８】
以下、図面を参照して本発明の実施の形態について説明する。
【００１９】
＜実施の形態＞
（階段ユニット）
図１において、階段ユニット１は、回り階段であり、上部階段ユニット１Ａと、下部階段ユニット１Ｂとに分離されている。上部階段ユニット１Ａは、２段目以上の複数の段板３ａ〜３ｋと２段目以上の複数の蹴込み板４ａ〜４ｋとを有する。下部階段ユニット１Ｂは、この上部階段ユニット１Ａの２段目の段板３ａの斜め下に配置される。このような階段ユニット１は、図２に示すように、下階から上階への１段目の上り口７の方向と２段目の上り口７ａの方向を同じ方向にして、上部階段ユニット１Ａの斜め下に下部階段ユニット１Ｂを配置している。
【００２０】
図１に示すように、上部階段ユニット１Ａの２段目以上の複数の段板３ａ〜３ｋと複数の蹴込み板４ａ〜４ｋは、複数の支持部材５で適宜支持されている。また、図４に示すように、下部階段ユニット１Ｂでは、１段目の蹴込み板２ａと３つの板材２ｂが四角形に枠組みされ、この枠組みされた部材の上に１段目の段板２が取り付けられている。
【００２１】
また、図４（ｃ）に示すように、前記１段目の段板２の各辺の幅は、前記上部階段ユニット１Ａの２段目の段板３ａの幅と同じ幅であり、前記１段目の段板２は、平面視において正方形である。
【００２２】
（建物ユニット）
図５に示すように、建物ユニット１０に、前記上部階段ユニット１Ａが取り付けられている。建物ユニット１０，２０の各々は、四隅に立設された柱１１と、これら柱１１の上端間および下端間を相互に連結する天井梁１２および床梁１３とを備えて直方体状に形成されている。図５において、床梁１３は天井梁１２の鉛直下方に配置されている。なお、柱１１は正方形筒状に形成されており、天井梁１２と床梁１３は、それぞれ断面コ字型に形成されている。互いに対向する２本の長手の床梁１３には、複数の根太が架設されており、該根太は長手の床梁１３の長手方向に所定間隔で設けられている。これら根太の上面には床板が固定され、この床板上に上部階段ユニット１Ａが設置されている。
【００２３】
また、図５において、上部階段ユニット１Ａの２段目の段板３ａは、隣接する他の建物ユニット２０側に向けられている。この隣接する他の建物ユニット２０に前記１段目の下部階段ユニット１Ｂが配置され、前記上部階段ユニット１Ａの２段目の段板３ａの斜め下に前記１段目の段板２（下部階段ユニット１Ｂ）が配置されている。図５に示す例では、平面視において、段板２は、互いに隣接する建物ユニット１０の床梁１３および建物ユニット２０の床梁１３間を跨いでいる。
【００２４】
（階段ユニットの建物ユニットへの施工方法）
図５に示すように、上部階段ユニット１Ａの２段目の段板３ａへの上り口７ａが、平面視において、建物ユニット１０の天井梁１２および床梁１３の近くに配置されている建物ユニット１０に対して、前記２段目の段板３ａの上り口７ａに隣接するように、他の建物ユニット２０を隣接して配置する。前記建物ユニット１０と前記他の建物ユニット２０とを配置した後、前記他の建物ユニット２０に前記下部階段ユニット１Ｂ（１段目の段板２）を配置し、上部階段ユニット１Ａと下部階段ユニット１Ｂとを接合する。
現場において、上部階段ユニット１Ａに下部階段ユニット１Ｂを接合するだけで、階段ユニット１が完成するため、艤装効率が向上する。
【００２５】
本実施の形態によれば、前記１段目の段板２は平面視において四角形であり、この１段目の段板２の各辺の幅は、前記上部階段ユニット１Ａの２段目の段板３ａの幅と同じ幅であるので、下階から上階への階段の上り口７の方向を任意の方向に設定することが可能になり、前記上部階段ユニット１Ａと下部階段ユニット１Ｂとに分離されているので、下部階段ユニット１Ｂをトラックの荷台の空いたスペースに積載することが可能となり、輸送効率を向上することができる。
【００２６】
また、前記１段目の段板２の各辺の幅は前記上部階段ユニット１Ａの２段目の段板３ａの幅と同じ幅であり、前記１段目の段板２は平面視において、正方形であるので、下階から上階への階段の上り口７の方向を任意の方向に設定しても、２段目の段板３ａに対する前記１段目の段板２の位置を平面視において変更する必要がないので、設計及び施工が容易になる。
【００２７】
また、前記建物ユニット１０に前記上部階段ユニット１Ａが取り付けられているので、前記上部階段ユニット１Ａを建物ユニット１０に取り付けている状態で搬送することが可能になる。
【００２８】
また、前記建物ユニット１０に隣接する他の建物ユニット２０に、前記下部階段ユニット１Ｂ（１段目の段板２）が前記上部階段ユニット１Ａの２段目の段板３ａの斜め下に配置されるように設けられているので、隣接する２つの建物ユニット１０，２０に対して階段ユニット１を設置することができる。
【００２９】
また、上部階段ユニット１Ａの２段目の段板３ａへの上り口７ａが、平面視において、建物ユニット１０の天井梁１２および床梁１３の近くに配置されている建物ユニット１０に対して、前記２段目の段板３ａの上り口７ａに隣接するように他の建物ユニット２０を隣接して配置した後、前記他の建物ユニット２０に前記１段目の段板２を配置するので、現場において、２つの建物ユニット１０，２０を隣接して配置し、この隣接する２つの建物ユニット１０，２０に対して階段ユニット１を設置することができる。
【００３０】
図６に示すように、建物ユニット３０において、前記上部階段ユニット１Ａおよび下部階段ユニット１Ｂが取り付けられていてもよい。図６においては、階段ユニット１が、建物ユニット３０の柱１１と天井梁１２の内側に収まるように、下階から上階への上り口７が建物ユニット３０の長手方向に向けられている。
【００３１】
（変形例）
上記実施の形態において、下階から上階への１段目の上り口７の方向と２段目の上り口７ａの方向を同じにしたが、これに限られない。１段目の上り口７の方向と２段目の上り口７ａの方向を異ならせてもよい。例えば、図３（ｂ）に示すように、平面視において、左側に上り口７を設定してもよいし、図３（ｃ）に示すように、平面視において、右側に上り口７を設定してもよい。
【００３２】
また、上記実施の形態において、回り階段を例に説明したが、これに限られない。直階段、折返し階段、中げた（力げた）階段、ささらげた階段などにも適応できる。
【００３３】
また、上記実施の形態において、１段目の段板の平面視における形状が正方形である例について説明したが、本発明は、これに限られない。例えば、図７（ａ）から図７（ｃ）に示すように、前記１段目の段板２は平面視において矩形であり、蹴込み板２ａの幅と蹴込み板４ａの幅とが同じ幅であり、蹴込み板２ａと交差する方向の１段目の段板２の一対の辺の幅を、前記上部階段ユニット１Ａの２段目の段板３ａの幅以上の幅にしてもよい。
【００３４】
また、上記実施の形態において、蹴込み板２ａ，３ａ〜３ｋを有する階段の例について説明したが、本発明は、これに限られない。蹴込み板２ａ，３ａ〜３ｋを有さない中げた階段等にも適用できる。この場合、例えば、１段目の段板２の四隅に脚をそれぞれ設けて、この１段目の段板２を２段目の段板３ａの斜め下に配置してもよい。
【００３５】
なお、変形例においては、上記実施の形態と同じ部材には同一の符号を付し、説明を省略する。
【符号の説明】
【００３６】
１  階段ユニット
１Ａ  上部階段ユニット
１Ｂ  下部階段ユニット
２  段板
２ａ  蹴込み板
３ａ〜３ｋ  段板
２ａ，４ａ〜４ｋ  蹴込み板
５  支持部材
７  上り口
１１  柱
１２  天井梁
１３  床梁
１０，２０，３０  建物ユニット
【図１】
0005917134.tif 000002
【図２】
0005917134.tif 000003
【図３】
0005917134.tif 000004
【図４】
0005917134.tif 000005
【図５】
0005917134.tif 000006
【図６】
0005917134.tif 000007
【図７】
0005917134.tif 000008